(57)【要約】【課題】  回転多面鏡の構成を変えることなく、回転多面鏡の位置を非接触で検出して、外部へレーザ光の漏洩防止するように停止制御すると共に回転多面鏡の回転速度制御することを可能とすることを目的とする。【解決手段】  回転多面鏡１４の反射面に対向する位置に、受発光素子を含む反射型のフォトセンサ２４を設ける。詳細には、レーザ駆動回路１６から出力されて回転多面鏡１４によって反射されたレーザ光がレーザ光位置検出センサ２２に反射ミラー２０を介してレーザ光が入射される回転位置で、フォトセンサ２４の発光素子から出力されて回転多面鏡１４の反射面で反射された光が受光素子で受光されるようにフォトセンサ２４を設ける。そして、フォトセンサ２４の発光素子から出力された光が受光素子で受光した状態となるように、回転多面鏡を停止する。また、フォトセンサ２４の出力を用いて回転多面鏡１４の回転制御を行う。【選択図】        図１
2006235219.tif 000002
【特許請求の範囲】
【請求項１】
回転多面鏡を用いてレーザ光を走査するレーザ光走査装置であって、
発光素子と受光素子を有し、発光素子から発光される光を回転多面鏡に照射して受光素子で受光することで回転多面鏡の回転位置を検出する検出手段と、
前記検出手段の検出結果に基づいて、回転多面鏡を回転駆動する駆動手段を制御する制御手段と、
を備えることを特徴とするレーザ光走査装置。
【請求項２】
前記制御手段は、前記検出結果に基づいて、外部へのレーザ光の出力を禁止可能な位置に回転多面鏡を停止するように制御することを特徴とする請求項１に記載のレーザ光走査装置。
【請求項３】
前記制御手段は、前記検出結果に基づいて、前記駆動手段の回転速度を制御することを特徴とする請求項１又は請求項２に記載のレーザ光走査装置。
【請求項４】
前記検出手段は、回転多面鏡の反射面に対向して配置することを特徴とする請求項１乃至請求項３の何れか１項に記載のレーザ光走査装置。
【請求項５】
前記検出手段は、回転多面鏡の反射面を繋げる角を検出する位置に配置することを特徴とすることを請求項１乃至請求項３の何れか１項に記載のレーザ光走査装置。
【請求項６】
前記検出手段は、発光素子より照射された光が前記角で反射されて受光素子に入射されるように配置することを特徴とする請求項５に記載のレーザ光走査装置。
【請求項７】
前記検出手段は、発光素子より照射され受光素子に入射される光が前記角で遮光されるように、回転多面鏡を挟んで受発光素子を配置することを特徴とする請求項５に記載のレーザ光走査装置。
【請求項８】
前記検出手段は、レーザ光の走査開始位置に配置された、レーザ光の走査開始タイミングを検出するための位置検出手段に、レーザ光が入射される位置となる回転多面鏡の位置を検出するように配置することを特徴とする請求項１乃至請求項７の何れか１項に記載のレーザ光走査装置。
【請求項９】
前記検出手段は、前記駆動手段が配置された基板上に実装することを特徴とする請求項１乃至請求項８の何れか１項に記載のレーザ光走査装置。
【発明の詳細な説明】
【技術分野】
【０００１】
本発明は、レーザ光走査装置にかかり、特に、プリンタ、ネットワークプリンタ、デジタル複写機、ファクシミリ等の画像形成装置に含まれ、画像情報に基づいてレーザ光を変調してレーザ光を感光体上に走査することで画像を記録するレーザ光走査装置に関する。
【背景技術】
【０００２】
レーザ光走査装置を含んだ画像形成装置は、例えば、図１１に示すように、画像形成装置５０内に組み込まれたレーザ光走査装置５２によって感光体５４を走査露光することで潜像を形成し、感光体５４に形成された潜像が用紙Ｐに転写されることで用紙に画像を形成することができる。
【０００３】
このようなレーザ光を走査露光するレーザ光走査装置５２において、レーザ光に対する安全装置は、レーザ記録装置のカバー５６が開けられた時に、カバー５６が開いたことを検出するインターロックスイッチ５８を設けて、インターロックスイッチ５８によってカバーが開いたことを検出した時にレーザ光源の電源をオフすることが一般的に行われている。
【０００４】
また、特許文献１に記載の技術では、レーザ光遮蔽動作時にレーザ光偏光手段の動きの制止機構を兼ねるように構成したものが提案されている。
【０００５】
また、特許文献２に記載の技術では、レーザ光を光書き込み領域外で検知する位置センサを用いて、レーザ光が位置センサに入射するような所定の角度で停止させることが記載されている。
【０００６】
さらには、特許文献３に記載の技術では、回転多面鏡に磁石を装着して、外部より磁石で回転多面鏡の停止位置を制御して、光走査装置の外部にレーザ光を漏れるのを防止することが提案されている。
【０００７】
一方、回転多面鏡の速度制御においては回転多面鏡を駆動する、モータの磁石をホール素子で検出してフィードバック制御することが一般的に行われている。
【特許文献１】特開平１１−２０２２３９号公報
【特許文献２】特許第３４７８４５４号公報
【特許文献３】特開平９−１４６０２９号公報
【発明の開示】
【発明が解決しようとする課題】
【０００８】
しかしながら、従来のインターロックスイッチを用いた技術では、レーザ光源の電源をインターロックスイッチまで配線することになるので、配線が長くなることによってノイズの影響を受ける。また、カバーが不完全に閉じられることで、記録中にレーザ光源の電源を切ってしまうなどの問題もある。
【０００９】
また、特許文献１に記載の技術では、レーザ光の漏洩を防止することができるが、回転多面鏡の位置を検出することができない、という問題がある。
【００１０】
また、特許文献２に記載の技術では、レーザ光が発光していない時には、所定の角度に停止させることができない、という問題がある。
【００１１】
更に、特許文献３に記載の技術では、高速に回転する回転多面鏡に質量の大きい磁石を装着するので、回転多面鏡の偏重心による振動が増大し走査むらを引き起こす恐れがある、という問題がある。
【００１２】
一方、ホール素子を用いて回転多面鏡の速度制御を行う場合には、モータの磁石の分割誤差や磁力むらによりその信号精度がレーザ記録装置の高画質化の要求に対して十分とはいない。
【００１３】
本発明は、上記問題を解決すべく成されたもので、回転多面鏡の構成を変えることなく、回転多面鏡の位置を非接触で検出して、外部へレーザ光の漏洩を防止するように停止制御すると共に回転多面鏡の回転速度制御することを可能とすることを目的とする。
【課題を解決するための手段】
【００１４】
上記目的を達成するために請求項１に記載の発明は、回転多面鏡を用いてレーザ光を走査するレーザ光走査装置であって、発光素子と受光素子を有し、発光素子から発光される光を回転多面鏡に照射して受光素子で受光することで回転多面鏡の回転位置を検出する検出手段と、前記検出手段の検出結果に基づいて、回転多面鏡を回転駆動する駆動手段を制御する制御手段と、を備えることを特徴としている。
【００１５】
請求項１に記載の発明によれば、検出手段では、発光素子から発光される光を回転多面鏡に照射して受光素子で受光することで回転多面鏡の回転位置が検出される。具体的には、検出手段は、フォトセンサを適用することができる。
【００１６】
そして、制御手段では、検出手段の検出結果に基づいて、回転多面鏡を回転駆動する駆動手段が制御される。例えば、請求項２に記載の発明のように、制御手段が、検出結果に基づいて、レーザ光走査装置の外部へのレーザ光の出力を禁止可能な位置に回転多面鏡を停止するように制御することで、回転多面鏡の構成を変えることなく、外部へレーザ光の漏洩を防止するように停止制御することができる。また、例えば、請求項３に記載の発明のように、制御手段が、検出結果に基づいて、駆動手段の回転速度を制御することで、回転多面鏡鏡の回転速度制御することができる。
【００１７】
従って、回転多面鏡の構成を変えることなく、回転多面鏡の位置を非接触で検出して、外部へレーザ光の漏洩を防止するように停止制御すると共に回転多面鏡の回転速度制御することが可能となる。
【００１８】
なお、検出手段は、請求項４に記載の発明のように、回転多面鏡の反射面に対向して配置するようにしてもよい。すなわち、反射型のフォトセンサを回転多面鏡の反射面に対向配置するようにしてもよい。
【００１９】
さらに、検出手段は、請求項５に記載の発明のように、回転多面鏡の反射面を繋げる角を検出する位置に配置するようにしてもよい。この場合には、請求項６に記載の発明のように、例えば、反射型のフォトセンサを用いて、発光素子より照射された光が回転多面鏡の反射面を繋げる角で反射されて受光素子に入射される位置に配置するようにしてもよいし、請求項７に記載の発明のように、例えば、透過型のフォトセンサを用いて、発光素子より照射され受光素子に入射される光が回転多面鏡の反射面を繋げる角で遮光されるように、回転多面鏡を挟んで受発光素子を配置するようにしてもよい。
【００２０】
また、検出手段は、請求項８に記載の発明のように、レーザ光の走査開始位置に配置された、レーザ光の走査開始タイミングを検出するための位置検出手段に、レーザ光が入射される位置となる回転多面鏡の位置を検出するように配置するようにしてもよい。すなわち、位置検出手段にレーザ光が入射される位置では、レーザ光走査装置からレーザ光が漏洩しないので、このように検出手段を配置することで、検出手段が位置検出手段にレーザ光が入射される回転多面鏡の位置を検出するように、制御手段が回転多面鏡を停止制御することで、外部へのレーザ光の漏洩を防止することが可能となる。
【００２１】
なお、検出手段は、請求項９に記載の発明のように、駆動手段が配置された基板上に実装するようにしてもよい。
【発明の効果】
【００２２】
以上説明したように本発明によれば、受発光素子を用いて回転多面鏡の回転位置を検出し、検出した結果に基づいて、回転多面鏡を回転駆動する駆動手段を制御することで、回転多面鏡の構成を変えることなく、回転多面鏡の位置を非接触で検出して、外部へレーザ光の漏洩を防止するように停止制御すると共に回転多面鏡の回転速度制御することが可能となる、という効果がある。
【発明を実施するための最良の形態】
【００２３】
以下、図面を参照して本発明の実施の形態の一例を詳細に説明する。
［第１実施形態］
本発明の第１実施形態に係わるレーザ光走査装置について説明する。図１は、本発明の第１実施形態に係わるレーザ光走査装置１０の概略構成を示す図である。
【００２４】
図１に示すように、レーザ光は出力するレーザ駆動回路１６がレーザ光走査装置１０の筐体１２に設けられており、レーザ駆動回路１６から回転多面鏡１４にレーザ光が出力される。
【００２５】
回転多面鏡１４は、その側面に複数の反射面（本実施形態では、６面）を有しており、レーザ駆動回路１６から出力されるレーザ光を複数の反射面で反射すると共に、回転多面鏡１４の回転によってレーザ光を偏光走査する。
【００２６】
回転多面鏡１４によって偏光走査されたレーザ光は、図１の点線で示すように、筐体１２に設けられたウインドガラス１８を介して筐体１２の外部に設けられた感光体（図示省略）に露光される。
【００２７】
また、回転多面鏡１４によって反射されるレーザ光の偏光走査開始位置には、反射ミラー２０が設けられており、レーザ光の記録開始位置タイミングを取るためレーザ光位置検出センサ２２に反射ミラー２０によって反射されたレーザ光を入射するようになっている。
【００２８】
また、回転多面鏡１４の反射面に対向する位置には、受発光素子を含む反射型のフォトセンサ２４が設けられている。詳細には、フォトセンサ２４は、レーザ駆動回路１６から出力されて回転多面鏡１４によって反射されたレーザ光がレーザ光位置検出センサ２２に反射ミラー２０を介して入射される位置で、フォトセンサ２４の発光素子から出力されて回転多面鏡１４の反射面で反射された光が受光素子で受光されるように調整されており、フォトセンサ２４の受光素子で発光素子からの光を受光した時にフォトセンサ２４出力がオンするようになっている。すなわち、レーザ光位置検出センサ２２にレーザ光が入射される位置では、レーザ光がレーザ光走査装置１０から外部に出力されない位置であるので、フォトセンサ２４出力がオンとなるときにはレーザ光走査装置１０からレーザ光が漏洩しないようになっている。
【００２９】
図２は、本発明の第１実施形態に係わるレーザ光走査装置１０の回転多面鏡１４とフォトセンサ２４の配置を示す図である。
【００３０】
図２に示すように、筐体１２には、回転多面鏡基盤２６が螺子Ｂで螺合されており、該回転多面鏡基盤２６には、モータ２８が載置されている。
【００３１】
モータ２８の回転軸２８Ａには、回転多面鏡１４が係合されており、モータ２８の回転駆動によって回転多面鏡１４が回転される。
【００３２】
また、回転多面鏡基盤２６は基盤のベースが板金で構成され、基盤が切り起こされた切り起こし部２６Ａを有している。切り起こし部２６Ａには、上述のフォトセンサ２４が回転多面鏡１４に対して対向するように設けられている。
【００３３】
なお、図２では、回転多面鏡基盤１４の切り起こし部２６Ａを設けてフォトセンサ２４を配置するようにしたが、これに限るものではなく、例えば、図３に示すように、回転多面鏡基盤２６にコネクタ２６Ｂを設けて、コネクタ２６Ｂにフォトセンサ２４を接続した状態で、回転多面鏡１４に対して対向するようにしてもよい。
【００３４】
また、本実施形態のフォトセンサ２４は、発光素子から出力された光が回転多面鏡１４の反射面で反射されて受光素子で受光した時にフォトセンサ２４出力がオンするようになっているが、オフするようにしてもよい。
【００３５】
続いて、回転多面鏡１４の駆動を制御する制御構成について説明する。図４は、本発明の第１実施形態に係わるレーザ光走査装置１０における回転多面鏡１４の駆動を制御する制御構成を示すブロック図である。
【００３６】
図４に示すように、回転多面鏡１４の駆動を制御する制御構成は、位相比較回路３０、ドライバ３２、モータ２８、及びフォトセンサ２４で構成されている。
【００３７】
位相比較回路３０には、図示しないコントローラから基準信号が入力されると共に、フォトセンサ２４からの信号（速度検出信号）が入力され、基準信号とフォトセンサ２４からの信号を比較してモータを駆動するための制御信号をドライバ３２に出力する。
【００３８】
ドライバ３２は、位相比較回路３０からの制御信号を受けてモータ２８を駆動し、回転多面鏡１４を回転させる。回転多面鏡１４が回転されると、フォトセンサ２４の発光素子から出力された光が回転多面鏡１４の反射面で反射されてフォトセンサ２４の受光素子に入力される。すなわち、回転多面鏡１４の回転に伴ってフォトセンサ２４の受光素子からオンオフを繰り返す信号が出力され、フォトセンサ２４は当該信号を速度検出信号として位相比較回路３０に入力する。
【００３９】
また、位相比較回路３０は、図示しないコントローラから回転多面鏡１４の回転停止命令を受信すると、フォトセンサ２４からの速度検出信号がオン状態で回転多面鏡１４を停止するように制御信号を出力する。これによって、回転多面鏡１４は、フォトセンサ２４がオン状態で停止、すなわち、レーザ光位置検出センサ２２にレーザ光が入力される位置で回転多面鏡１４が停止されるので、レーザ光がレーザ光走査装置１０の外に出力されるのを防止することができる。
【００４０】
続いて、上述のように構成されたレーザ光走査装置１０の回転多面鏡１４の回転制御について説明する。
【００４１】
図５は、本発明の第１実施形態に係わるレーザ光走査装置１０の回転多面鏡１４の回転制御の流れの一例を示すフローチャートである。
【００４２】
図示しないコントローラから回転多面鏡１４の回転開始が指示されると、ステップ１００では、位相比較回路３０では、基準信号に基づいて、制御信号をドライバ２１に出力することによってドライバ３２がモータ２８を駆動することで、回転多面鏡１４の回転を開始する。そして、回転多面鏡１４の回転が開始されると、図６（Ａ）、（Ｂ）に示すように、回転多面鏡１４の回転に伴って、フォトセンサ２４の発光素子から出力された光（図６（Ａ）の実線）が回転多面鏡１４の反射面によって反射されてフォトセンサ２４の受光素子で受光する。これによってフォトセンサ２４からは、図６（Ｂ）に示すようなセンサ出力信号（速度制御信号）が出力される。
【００４３】
ここで、ステップ１０２では、回転多面鏡１４の回転に伴ってフォトセンサ２４から出力される速度制御信号と、基準クロックとを位相比較回路３０が比較して位相が合うように制御信号がドライバ３２に出力される。これによって、回転多面鏡１４が予め定めた一定速度で回転するように制御される。
【００４４】
続いて、ステップ１０４では、図示しないコントローラから回転多面鏡１４の停止命令がなされたか否か判定され、該判定が否定された場合には、ステップ１０２に戻って、上述の処理が繰り返され、判定が肯定されたところで、ステップ１０６へ移行する。
【００４５】
ステップ１０６では、位相比較回路３０によって基準クロックのカウントが開始され、ステップ１０８へ移行して、所定カウント終了したか否か判定される。該判定が、基準クロックのカウントが予め定めた所定カウント数カウントしたか否か判定され、該判定が否定された場合には、肯定されるまで待機してステップ１１０へ移行する。すなわち、停止命令がなされてから所定時間経過後にステップ１１０へ移行する。
【００４６】
ステップ１１０では、フォトセンサ出力のオン状態が予め定めたＴ秒間連続しているか否かが位相比較回路３０によって判定され、該判定が否定された場合には、ステップ１１２へ移行する。
【００４７】
ステップ１１２では、位相比較回路３０が制御信号を出力することで、ドライバ３２によってモータ２８の微動作が行われて、ステップ１１０に戻る。
【００４８】
そして、ステップ１１０の判定が肯定、すなわち、フォトセンサ２４出力が予め定めたＴ秒間連続してオン状態となったところで、一連の処理を終了する。すなわち、フォトセンサ２４出力がＴ秒間連続してオン状態か否かを判定することによって、レーザ駆動回路１６から出力されたレーザ光がレーザ光位置検出センサ２２に入射されている状態で回転多面鏡１４が停止していることになる。従って、レーザ光がレーザ光走査装置１０に外部に出力されない位置で回転多面鏡１４が停止され、これによって、レーザ光による意図しない感光体の露光を防止することができると共に、人体に照射されるのを防止することができる。
【００４９】
ところで、従来では、図７（Ａ）に示すように、フォトセンサ２４の代わりホール素子８０で磁石の磁界を検出して回転多面鏡１４の回転制御を行うものがあるが、この場合には、磁石の着磁精度や位置精度によって、図７（Ｂ）に示すホール素子８０の検出信号の周期Ｔ１、Ｔ２、Ｔ３がばらついてしまい、信号精度が不十分であった。
【００５０】
これに対して、本実施形態では、回転多面鏡１４の反射面に光を照射してフォトセンサ２４で回転多面鏡１４の位置を検出することで、回転多面鏡１４の回転制御を行う。すなわち、高精度の回転多面鏡１４の反射面の位置をフォトセンサ２４で検出して、フォトセンサ２４出力を利用して回転多面鏡１４の回転制御を行うので、図６（Ｂ）に示すセンサ出力信号（速度検出信号）の周期Ｔ１、Ｔ２、Ｔ３が安定した信号精度の高い信号となり、ホール素子８０で回転多面鏡１４の回転制御を行う場合に比べて高精度で回転多面鏡１４の回転制御を行うことができる。
【００５１】
図８は、ホール素子８０を利用した従来の回転制御を行った場合の主走査むら（ＪＩＴＴＥＲ）を測定した結果と、フォトセンサ２４を利用して回転制御を行う本実施形態に係わるレーザ光走査装置１０の主走査むら（ＪＩＴＴＥＲ）を測定した結果を示すグラフである。なお、図８の点線がホール素子８０を利用した場合の測定結果を示し、実線が本実施形態のフォトセンサ２４を利用した場合の測定結果を示す。
【００５２】
図８に示すように、従来のようにホール素子８０を利用して回転多面鏡１４の回転制御を行った場合には、主走査むらは、約０．０１％（Peak to peak）であるのに対して、本実施形態では、主走査むらは、約０．００３％（Peak to peak）となり、主走査むらを従来に比べて１／３程度まで低減することができる。
［第２実施形態］
続いて、本発明の第２実施形態に係わるレーザ光走査装置について説明する。なお、レーザ光走査装置の概略構成は、第１実施形態と同一であるため説明を省略する。
【００５３】
図９は、本発明の第２実施形態に係わるレーザ光走査装置の回転多面鏡とフォトセンサの配置を示す図である。なお、第１実施形態と同一部品については同一符号を付して説明する。
【００５４】
図９に示すように、筐体１２には、回転多面鏡基盤２６が螺子Ｂで螺合されており、該回転多面鏡基盤２６には、モータ２８が載置されている。
【００５５】
モータ２８の回転軸２８Ａには、回転多面鏡１４が係合されており、モータ２８の回転駆動によって回転多面鏡１４が回転される。
【００５６】
また、回転多面鏡基盤２６は基盤のベースが板金で構成され、基盤が切り起こされた切り起こし２６Ａを有している。切り起こし部２６Ａには、透過型のフォトセンサ２４が設けられている。
【００５７】
フォトセンサ２４は、発光素子２４Ａと受光素子２４Ｂからなり、回転多面鏡１４を挟むように、発光素子２４Ａと受光素子２４Ｂが対向配置されている。また、発光素子２４Ａと受光素子２４Ｂは、回転多面鏡１４の反射面の繋がり部（回転多面鏡１４の角）が通過することによって、図９（Ｂ）に示すように、発光素子２４Ａから出力され受光素子２４Ｂに受光される光が遮られる位置に配置されている。すなわち、回転多面鏡１４の反射面の繋がり部をフォトセンサ２４によって検出するようになっている。なお、図９では、フォトセンサ２４の発光素子２４Ａを上側、受光素子２４Ｂを下側に設けた例を示すが逆でもよい。
【００５８】
また、フォトセンサ２４は、レーザ光位置検出センサ２２に反射ミラー２０を介してレーザ光が入射される位置で、フォトセンサ２４の発光素子２４Ａから出力されて回転多面鏡１４の反射面の繋がり部で受光素子２４Ｂに受光される光が遮光されるように調整されており、フォトセンサ２４の受光素子２４Ｂで発光素子２４Ａからの光が遮光された時にフォトセンサ２４出力がオンするようになっている。なお、受光素子２４Ｂで発光素子２４Ａからの光が遮光された時にフォトセンサ２４出力をオフする構成でもよい。
【００５９】
このように、フォトセンサ２４をレーザ光走査装置に設けることによっても、第１実施形態と同様に動作させることができ、第１実施形態と同様の効果を得ることができる。
［第３実施形態］
続いて、本発明の第３実施形態に係わるレーザ光走査装置について説明する。なお、レーザ光走査装置の概略構成は、第１実施形態と同一であるため説明を省略する。
【００６０】
図１０は、本発明の第３実施形態に係わるレーザ光走査装置の回転多面鏡とフォトセンサの配置を示す図である。なお、第１実施形態と同一部品については同一符号を付して説明する。
【００６１】
図１０に示すように、筐体１２には、回転多面鏡基盤２６が螺子Ｂで螺合されており、該回転多面鏡基盤２６には、モータ２８が載置されている。
【００６２】
モータ２８の回転軸２８Ａには、回転多面鏡１４が係合されており、モータ２８の回転駆動によって回転多面鏡１４が回転される。
【００６３】
また、回転多面鏡基盤２６上には、回転多面鏡１４と対向する位置に発光素子と受光素子からなる反射型のフォトセンサ２４が配置されている。フォトセンサ２４は、フォトセンサ２４の発光素子から出力された光が回転多面鏡１４の反射面の繋がり部で反射されてフォトセンサ２４の受光素子に入射される、回転多面鏡基盤２６上の位置に配置されている。すなわち、第２実施形態と同様に、回転多面鏡１４の反射面の繋がり部をフォトセンサ２４によって検出するようになっている。なお、本実施形態では回転多面鏡１４の回転多面鏡基盤２６と対向する面も反射面とされている。
【００６４】
また、フォトセンサ２４は、レーザ光位置検出センサ２２に反射ミラー２０を介してレーザ光が入射される位置で、フォトセンサ２４の発光素子から出力され回転多面鏡１４の反射面の繋がり部で反射されて受光素子に光が入射されるように調整されており、フォトセンサ２４の受光素子で発光素子からの光を受光した時にフォトセンサ２４がオンするようになっている。なお、フォトセンサ２４の受光素子でフォトセンサ２４の発光素子からの光を受光した時にフォトセンサ２４出力をオフする構成でもよい。
【００６５】
このように、フォトセンサ２４をレーザ光走査装置に設けることによっても、第１実施形態と同様に動作させることができ、第１実施形態と同様の効果を得ることができる。
【図面の簡単な説明】
【００６６】
【図１】本発明の第１実施形態に係わるレーザ光走査装置の概略構成を示す図である。
【図２】本発明の第１実施形態に係わるレーザ光走査装置の回転多面鏡とフォトセンサの配置を示す図である。
【図３】本発明の第１実施形態に係わるレーザ光走査装置の回転多面鏡とフォトセンサの配置の変形例を示す図である。
【図４】本発明の第１実施形態に係わるレーザ光走査装置における回転多面鏡の駆動を制御する制御構成を示すブロック図である。
【図５】本発明の第１実施形態に係わるレーザ光走査装置の回転多面鏡の回転制御の流れの一例を示すフローチャートである。
【図６】（Ａ）はフォトセンサから出力された光が回転多面鏡の反射面で反射される図を示す。（Ｂ）はフォトセンサの出力信号を示す図である。
【図７】（Ａ）は従来のホール素子を用いた回転多面鏡の回転制御を行う制御構成を示すブロック図であり、（Ｂ）はホール素子の出力信号を示す図である。
【図８】ホール素子を利用した従来の回転多面鏡の回転制御を行った場合の主走査むらを測定した結果と、フォトセンサを利用して回転多面鏡の回転制御を行う第１実施形態に係わるレーザ光走査装置の主走査むらを測定した結果を示すグラフである。
【図９】（Ａ）は本発明の第２実施形態に係わるレーザ光走査装置の回転多面鏡とフォトセンサの配置を示す図であり、（Ｂ）は回転多面鏡を上から見た図である。
【図１０】本発明の第３実施形態に係わるレーザ光走査装置の回転多面鏡とフォトセンサの配置を示す図である。
【図１１】従来の画像形成装置の一例を示す図である。
【符号の説明】
【００６７】
１０    レーザ光走査装置
１４    回転多面鏡
２２    レーザ光位置検出センサ
２４    フォトセンサ
２８    モータ
３０    位相比較部
３２    ドライバ
【図１】
2006235219.tif 000003
【図４】
2006235219.tif 000004
【図５】
2006235219.tif 000005
【図６】
2006235219.tif 000006
【図７】
2006235219.tif 000007
【図１１】
2006235219.tif 000008
【図２】
2006235219.tif 000009
【図３】
2006235219.tif 000010
【図８】
2006235219.tif 000011
【図９】
2006235219.tif 000012
【図１０】
2006235219.tif 000013